(57)【要約】【課題】製造が容易で且つ製造時における損傷が生じにくいルームミラーを提供する。【解決手段】ミラー板２は、ガラス基板、可撓性を有する透明フィルム、透明導電膜、減光層、透明導電膜、可撓性を有する透明フィルム、および反射膜がこの順で重なり合ってなるミラー本体２０と、透明フィルムと透明導電膜との一部が重なり合ってガラス基板から突出した第１の電極取出し部２２と、透明フィルムと透明導電膜との一部が重なり合ってガラス基板から突出した第２の電極取出し部２４とを有する。ミラーハウジング１２は、ミラー板２のミラー本体２０が配置されるハウジング本体４４と、光センサ４及び切替スイッチ６が配置される膨出部４６とを有する。ミラー板２の第１及び第２の電極取出し部２２，２４は、膨出部４６に収容される。【選択図】図２
2009226979.tif 000002
【特許請求の範囲】
【請求項１】
車両の後方視界を確保するためのルームミラーであって、
ミラー板と、
前記車両の後方から照射された光を検出する受光センサと、
前記受光センサのオン／オフを切り替えるための切替スイッチと、
前記ミラー板と、前記受光センサと、前記切替スイッチとが設置されるミラーハウジングとを備え、
前記ミラー板は、
可撓性を有する第１の透明フィルムと、前記受光センサの受光量と前記切替スイッチのオン／オフとに基づいた電圧信号が入力される第１の透明導電膜と、電圧の大きさに応じて光透過率が変化する減光層と、前記受光センサの受光量と前記切替スイッチのオン／オフとに基づいた電圧信号が入力される第２の透明導電膜と、可撓性を有する第２の透明フィルムと、前記第２の透明フィルム側が光反射面となった反射膜とがこの順で重なり合ってなるミラー本体と、
前記第１の透明フィルムが延長されて前記ミラー本体から突出した部分と前記第１の透明導電膜が延長されて前記ミラー本体から突出した部分とが重なり合ってなる第１の電極取出し部と、
前記第２の透明フィルムが延長されて前記ミラー本体から突出した部分と前記第２の透明導電膜が延長されて前記ミラー本体から突出した部分とが重なり合ってなる第２の電極取出し部とを有し、
前記ミラーハウジングは、
前記ミラー本体が露出する開口部を有するハウジング本体と、
前記ハウジング本体から突出して前記受光センサ及び前記切替スイッチが配置される膨出部とを有し、
前記第１及び第２の電極取出し部は、前記膨出部まで延在していることを特徴とするルームミラー。
【請求項２】
前記受光センサと前記切替スイッチとが実装された回路基板と、
前記回路基板に設けられ、前記第１及び第２の電極取出し部を挟持する第１及び第２のクリップ電極とを更に備えることを特徴とする請求項１記載のルームミラー。
【請求項３】
前記第１及び第２の透明フィルムはポリエチレンテレフタレートからなることを特徴とする請求項１又は２記載のルームミラー。
【発明の詳細な説明】
【技術分野】
【０００１】
本発明は、車両の後方視界を確保するためのルームミラーに関する。
【背景技術】
【０００２】
ＥＣ（エレクトロクロミック）素子を用いたルームミラーが一般的に知られている。ルームミラーに用いられるＥＣ素子としては、例えば特許文献１記載のものがある。特許文献１記載のＥＣ素子では、ガラス基板と導電膜とＥＣ層とが積層されたＥＣ素子の周縁に、帯状の電極取出し部が設けられており、このガラス基板に沿って延在する電極取出し部をクリップ電極で挟む構成となっている。特許文献１記載のＥＣ素子では、クリップ電極の長さは電極取出し部の長さに合わせてある。
【特許文献１】特開昭６２−２７０９２５号公報
【発明の開示】
【発明が解決しようとする課題】
【０００３】
上述した特許文献１記載のＥＣ素子では、クリップ電極が長いために、電極取出し部をクリップ電極で挟む作業に手間がかかってしまっていた。また、電極取出し部をクリップ電極で挟む際にガラス基板に傷や割れを生じさせてしまうことがあった。
【０００４】
そこで本発明は、製造が容易で且つ製造時における損傷が生じにくいルームミラーを提供することを課題とする。
【課題を解決するための手段】
【０００５】
本発明のルームミラーは、車両の後方視界を確保するためのルームミラーであって、ミラー板と、車両の後方から照射された光を検出する受光センサと、受光センサのオン／オフを切り替えるための切替スイッチと、ミラー板と、受光センサと、切替スイッチとが設置されるミラーハウジングとを備え、ミラー板は、可撓性を有する第１の透明フィルムと、受光センサの受光量と切替スイッチのオン／オフとに基づいた電圧信号が入力される第１の透明導電膜と、電圧の大きさに応じて光透過率が変化する減光層と、受光センサの受光量と切替スイッチのオン／オフとに基づいた電圧信号が入力される第２の透明導電膜と、可撓性を有する第２の透明フィルムと、第２の透明フィルム側が光反射面となった反射膜とがこの順で重なり合ってなるミラー本体と、第１の透明フィルムが延長されてミラー本体から突出した部分と第１の透明導電膜が延長されてミラー本体から突出した部分とが重なり合ってなる第１の電極取出し部と、第２の透明フィルムが延長されてミラー本体から突出した部分と第２の透明導電膜が延長されてミラー本体から突出した部分とが重なり合ってなる第２の電極取出し部とを有し、ミラーハウジングは、ミラー本体が露出する開口部を有するハウジング本体と、ハウジング本体から突出して受光センサ及び切替スイッチが配置される膨出部とを有し、第１及び第２の電極取出し部は、膨出部まで延在していることを特徴とする。
【０００６】
このルームミラーによれば、第１及び第２の電極取出し部は柔軟性を有するため、結線の際にガラスと比べて傷や割れ、欠けが生じくい。よって、ルームミラーの製造時に生じる損傷を低減できる。また、ミラーハウジングが有する膨出部は、受光センサ及び切替スイッチを収容するためのスペースであり、第１及び第２の電極取出し部はこのスペースの有効利用を図っている。したがって、電極の取出しスペースをミラー本体の周囲に沿って長く設ける必要がないので、ルームミラーを大型化させることなく、膨出部内での結線作業が可能となる。したがって、膨出部に結線箇所を集中させることができ、このことは、ルームミラーの製造を容易にしている。
【０００７】
この場合、受光センサと切替スイッチとが実装された回路基板と、回路基板に設けられ、第１及び第２の電極取出し部を挟持する第１及び第２のクリップ電極とを更に備えることが好適である。
【０００８】
このルームミラーによれば、第１及び第２のクリップ電極で第１及び第２の電極取出し部を挟むだけで回路基板と第１及び第２の透明導電膜とを電気的に接続することができる。したがって、リード線や半田を用いずとも回路基板とミラー板とを容易に電気的に接続できるため、ルームミラーの製造を更に容易に行うことができる。
【０００９】
また、第１及び第２の透明フィルムはポリエチレンテレフタレートからなることが好適である。
【００１０】
このルームミラーによれば、第１及び第２の透明フィルムを可撓性に優れたものとすることができる。また、ポリエチレンテレフタレートからなる第１及び第２の透明フィルムは、ガラス基板と比べて成形加工しやすいので、第１及び第２の電極取出し部を所望の形に容易に加工することができる。
【発明の効果】
【００１１】
本発明によれば、ルームミラーの製造が容易で且つ製造時における損傷が生じにくいものとすることができる。
【発明を実施するための最良の形態】
【００１２】
以下、図面を参照しつつ本発明に係るルームミラーの好適な実施形態について詳細に説明する。
【００１３】
図１及び図２に示されるように、車両の後方視界を確保するためのルームミラー１は、ミラー板２と受光センサ４と切替スイッチ６と回路基板８と第１及び第２のクリップ電極１０，１１とミラーハウジング１２とを備えている。
【００１４】
図３及び図４に示されるように、ミラー板２は、長手方向を有するミラー本体２０と、ミラー本体２０の周縁の一部から突出した第１及び第２の電極取出し部２２，２４とを有している。ミラー板２は、ガラス基板２６と、接着層２７と、透明フィルム（第１の透明フィルム）２８と、透明導電膜（第１の透明導電膜）２９と、減光層３０と、透明導電膜（第２の透明導電膜）３１と、透明フィルム（第２の透明フィルム）３２と、反射膜３３と、接着層３４と、ガラス基板３５とが、この順で積層されてなる。ミラー板２の減光層３０は、電圧の大きさに応じて光透過率が変化する部分である。ミラー板２の減光層３０は、ポリイミドからなる一対の配向膜３６，３７と、一対の配向膜３６，３７の間に挟まれた環状のシール接着層３８と、シール接着層３８で囲まれた領域に充填された液晶層３９とを含んでいる。透明フィルム２８，３２は、可撓性フィルムであり、ポリエチレンテレフタレート（ＰＥＴ）からなっている。反射膜３３は、ＡｌやＡｇを含んでおり、透明フィルム３２側が反射面となっている。透明導電膜２９，３１は、ＩＴＯやＳｎＯ２を含んでいる。
【００１５】
ミラー本体２０は、ガラス基板２６，３５と、接着層２７，３４と、透明フィルム２８，３２と、透明導電膜２９，３１と、減光層３０と、反射膜３３とが重なり合った部分である。ミラー本体２０は、実質的にミラーとして機能する。
【００１６】
第１の電極取出し部２２は、透明フィルム２８が延長されてミラー本体２０から突出した部分と透明導電膜２９が延長されてミラー本体２０から突出した部分とが重なり合った部分である。第２の電極取出し部２４は、透明フィルム３２が延長されてミラー本体２０から突出した部分と透明導電膜３１が延長されてミラー本体２０から突出した部分とが重なり合った部分である。つまり、透明フィルム２８，３２及び透明導電膜２９，３１は、ガラス基板２６，３５等と重なり合う部分とガラス基板２６，３５等から突出した部分とを有しており、このガラス基板２６，３５等から突出した部分が第１及び第２の電極取出し部２２，２４となる。第１及び第２の電極取出し部２２，２４は、ミラー板２の取り出し電極として機能する。
【００１７】
図３に示されるように、第１及び第２の電極取出し部２２，２４は、ミラー板２の主面側から見ると互いに重なりを有していない。また、第１及び第２の電極取出し部２２，２４は、図４に示されるように先端部がＬ字状にそれぞれ折れ曲がっている。透明フィルム２８，３２が可撓性フィルムであるため、第１及び第２の電極取出し部２２，２４をこのように折り曲げることが可能となっている。折り曲げた状態の第１及び第２の電極取出し部２２，２４は、後述するミラーハウジング１２の膨出部４６に収容可能な大きさとなっている。
【００１８】
図１に示される受光センサ４は、光を検出する部分である。図１に示される切替スイッチ６は、受光センサ４のオン／オフを切り替える部分である。切替スイッチ６はボタン式となっている。
【００１９】
図２及び図５に示されるように、受光センサ４及び切替スイッチ６は、電子部品４０が搭載された回路基板８に実装されている。電子部品４０は、受光センサ４と切替スイッチ６とに電気的に接続され、受光センサ４の受光量および切替スイッチ６のオン／オフに基づいて電圧信号を出力する。より具体的には、電子部品４０は、切替スイッチ６がオンの状態にある場合には受光センサ４の受光量に応じた電圧信号を出力し、切替スイッチ６がオフの状態にある場合には電圧信号を出力しない。
【００２０】
図２及び図５に示されるように、回路基板８からは、第１及び第２のクリップ電極１０，１１が突出している。第１及び第２のクリップ電極１０，１１はリン青銅やＳＵＳといった材料からなるバネ式のクリップであり、ミラー板２の第１及び第２の電極取出し部２２，２４を挟持可能となっている。第１及び第２のクリップ電極１０，１１において、第１及び第２の電極取出し部２２，２４と当接する部分は平面状となっている。
【００２１】
図２に示されるように、ミラーハウジング１２は、長手方向を有する樹脂製の筐体であって、アーム部材４２を介して車両のフロントウィンドウに固定される。ミラーハウジング１２は、ミラー本体２０が設置されるハウジング本体４４と、受光センサ４及び切替スイッチ６が設置される膨出部４６とを有している。
【００２２】
ハウジング本体４４は、ミラー本体２０が嵌め込み可能となっている。ミラー本体２０は、ミラーハウジング１２の長手方向に沿って延在する開口部４５を有しており、開口部４５からはハウジング本体４４内に嵌め込まれたミラー本体２０が露出する。ミラーハウジング１２は、この開口部４５が車両の後方を向くように車両のフロントウィンドウに固定される。なお、ミラー本体２０は、ルームミラー１の車両固定時において反射膜３３の反射面が車両の後方を向くように、ハウジング本体４４内に設置される。
【００２３】
膨出部４６はハウジング本体４４から突出した部分であり、膨出部４６の内部には受光センサ４と切替スイッチ６とが長手方向に沿って並設されている。受光センサ４及び切替スイッチ６は、ルームミラー１の車両固定時において受光センサ４の受光面と切替スイッチ６とが車両の後方を向くように設置される。膨出部４６には２つの開口部４７，４８が設けられており、開口部４７からは受光センサ４の受光面が露出し、開口部４８からは切替スイッチ６が露出している。このような膨出部４６は、ハウジング本体４４の下に設けられている。つまり、ミラーハウジング１２をフロントウィンドウに固定したとき、膨出部４６はハウジング本体４４よりも車両の床側に位置することになる。
【００２４】
膨出部４６は、ミラーハウジング１２を開口側から見たときにハウジング本体４４よりも小さくなっている。より具体的には、ミラーハウジング１２の長手方向に沿った膨出部４６の長さは、当該方向に沿ったハウジング本体４４の長さよりも短くなっている。また、ミラーハウジング１２からの突出方向に沿った膨出部４６の長さは、当該方向に沿ったハウジング本体４４の長さよりも短くなっている。
【００２５】
膨出部４６の内部は、ハウジング本体４４の内部と連通している。そのため、ミラー本体２０をハウジング本体４４に嵌め込んだとき、ミラー板２の第１及び第２の電極取出し部２２，２４はミラー本体２０側から膨出部４６に向かって延在し、且つ膨出部４６内に収容された状態となる。第１及び第２の電極取出し部２２，２４は、受光センサ４と切替スイッチ６との間に配され且つ受光センサ４及び切替スイッチ６に対して非接触となるように、その大きさ及び位置が設計されている。
【００２６】
ハウジング本体４４及び膨出部４６の連通された内部は、回路基板８をミラー板２と略平行に配置可能となっている。回路基板８から突出した第１及び第２のクリップ電極１０，１１は、ミラーハウジング１２の内部において、ミラー板２の第１及び第２の電極取出し部２２，２４の先端部を挟持する。これにより、第１及び第２の電極取出し部２２，２４は、第１及び第２のクリップ電極１０，１１を介して回路基板８の電子部品４０に電気的に接続されることとなる。
【００２７】
以上述べたルームミラー１によれば、ミラー本体２０から突出した第１及び第２の電極取出し部２２，２４を有しているので、これら電極取出し部２２，２４を第１及び第２のクリップ電極１０，１１で挟むことによりミラー板２に電圧を印加することが可能となる。第１及び第２の電極取出し部２２，２４を構成する透明フィルム２８，３２は柔軟性を有するため、ガラスと比べて欠損が極めて生じくい。よって、第１及び第２のクリップ電極１０，１１の装着時にミラー板２が損傷することを抑制できる。
【００２８】
本実施形態のルームミラー１では、第１及び第２の電極取出し部２２，２４は、ミラーハウジング１２の膨出部４６に収容可能な大きさとなっている。膨出部４６は受光センサ４及び切替スイッチ６を収容するためのスペースであり、第１及び第２の電極取出し部２２，２４はこのスペースの有効利用を図っている。したがって、電極の取出しスペースをミラー本体２０の周囲に沿って長く設ける必要がないので、ルームミラー１を大型化させることなく、膨出部４６内での結線作業が可能となる。したがって、膨出部４６に結線箇所を集中させることができ、このことは、ルームミラー１の製造を容易にしている。さらに、ルームミラー１を組み立てる際に、受光センサ４と切替スイッチ６との間に第１及び第２の電極取出し部２２，２４を配置すれば、ミラー本体２０はハウジング本体４４でおのずと位置合わせされる。
【００２９】
本実施形態のルームミラー１では、第１及び第２のクリップ電極１０，１１が回路基板８から突出しており、かかる第１及び第２のクリップ電極１０，１１は回路基板８に搭載された電子部品４０と電気的に接続されている。そのため、第１及び第２のクリップ電極１０，１１でミラー板２の第１及び第２の電極取出し部２２，２４を挟み込むだけで、電子部品４０から透明導電膜２９，３１に対して電圧信号を供給することができる。したがって、電子部品４０と透明導電膜２９，３１とを接続すべく回路基板８及びミラー板２にリード線を半田付けする、といった作業が不要となり、ルームミラー１の製造を更に容易に行うことができる。
【００３０】
本実施形態のルームミラー１では、第１及び第２の透明フィルム２８，３２はＰＥＴからなっている。そのため、第１及び第２の透明フィルム２８，３２を確実に可撓性に優れたものとすることができる。また、ＰＥＴからなる第１及び第２の透明フィルム２８，３２は、ガラスからなるものと比べて成形加工しやすいため、第１及び第２の電極取出し部２２，２４を所望の形に容易に加工することができる。
【００３１】
以上、本発明の好適な実施形態について説明してきたが、本発明は必ずしも上述した実施形態に限定されるものではなく、その要旨が逸脱しない範囲で様々な変更が可能である。
【００３２】
例えば、上記実施形態では、第１及び第２の電極取出し部２２，２４は先端部がＬ字状にそれぞれ折れ曲がっているとしたが、折れ曲がっていなくてもよい。この場合、図６（ａ）に示されるように、回路基板８から突出しＬ字状に折れ曲がった支持部を有する第１及び第２のクリップ電極１０，１１を用いることや、図６（ｂ）に示されるように、ミラー板２と略直交するように回路基板８を配することが好ましい。
【００３３】
また、上記実施形態において、第１及び第２のクリップ電極１０，１１のうち第１及び第２の電極取出し部２２，２４と当接する部分はそれぞれ平面状であるが、図７（ａ）に示されるように球面状であってもよい。この場合、第１及び第２のクリップ電極１０，１１は第１及び第２の電極取出し部２２，２４をより確実に挟持することができる。また、第１及び第２の電極取出し部２２，２４と当接する部分に鋸歯形状の凹凸がそれぞれ形成されていてもよい。
【００３４】
また、上記実施形態において、第１及び第２のクリップ電極１０，１１はバネ式のクリップ電極であるが、図７（ｂ）に示されるように一対の弾性脚片の間に第１及び第２の電極取出し部２２，２４が圧入される圧入式のクリップ電極であるとしてもよい。
【００３５】
また、上記実施形態では、第１及び第２の電極取出し部２２，２４は受光センサ４と切替スイッチ６との間に位置するように形成されているが、図８（ａ）に示されるように、受光センサ４及び切替スイッチ６を間に挟むように形成されていてもよい。この場合、第１の電極取出し部２２と第２の電極取出し部２４とは離れて位置することになるので、第１及び第２の電極取出し部２２，２４間におけるショートを確実に防ぐことができる。
【００３６】
そのほか図８（ｂ）に示されるように、第１及び第２の電極取出し部２２，２４は、第１の電極取出し部２２が切替スイッチ６を囲み、第２の電極取出し部２４が受光センサ４を囲むように形成されていてもよい。この場合、第１及び第２の電極取出し部２２，２４に対する第１及び第２の電極１０，１１の位置決めがし易く、装着がより容易となる。
【図面の簡単な説明】
【００３７】
【図１】本発明に係るルームミラーの一実施形態を示す正面図である。
【図２】図１に示すルームミラーの断面図である。
【図３】図１に示すルームミラーが備えるミラー板の斜視図である。
【図４】図３に示すミラー板のＩＶ―ＩＶ線に沿った断面図である。
【図５】（ａ）は、図１に示すルームミラーが備える回路基板及びクリップ電極の斜視図であり、（ｂ）は、その部分拡大図である。
【図６】ミラー板及びクリップ電極の変形例を示す側面図である。
【図７】クリップ電極の他の変形例を示す側面図である。
【図８】ミラー板の他の変形例を示す側面図である。
【符号の説明】
【００３８】
１…ルームミラー、２…ミラー板、４…受光センサ、６…切替スイッチ、８…回路基板、１０…第１のクリップ電極、１１…第２のクリップ電極、１２…ミラーハウジング、２０…ミラー本体、２２…第１の電極取出し部、２４…第２の電極取出し部、２６，３５…ガラス基板、２７…接着層、２８，３２…透明フィルム、２９，３１…透明導電膜、３０…減光層、３３…反射膜、３４…接着層、３６，３７…配向膜、３８…シール接着層、３９…液晶層、４０…電子部品、４４…ハウジング本体、４６…膨出部。
【図１】
2009226979.tif 000003
【図２】
2009226979.tif 000004
【図３】
2009226979.tif 000005
【図４】
2009226979.tif 000006
【図５】
2009226979.tif 000007
【図６】
2009226979.tif 000008
【図７】
2009226979.tif 000009
【図８】
2009226979.tif 000010